(57)【特許請求の範囲】
【請求項１】
駐車場料金精算システムに用いられる駐車場料金精算装置であって、少なくとも電源部、通信モジュール部、カードリーダー部、入力部、表示部を備えるとともに、現金精算機へ電気接続されてなり、前記現金精算機とのデータ通信手段と、駐車場料金精算管理サーバーへのデータ通信手段を有してなり、
前記駐車場料金精算装置は、現金精算機から伝達される個別駐車情報及び/又は空室情報を受信する手段と、
利用者に決済方法を選択させる手段と、
カードＩＤを読み取る手段と、
前記駐車場料金精算管理サーバーへ、読み取られたポイントカードＩＤを照会する手段と、
前記駐車場料金精算管理サーバーから伝達されたポイントカードＩＤの利用承認可否情報を受信する手段と、
前記駐車場料金精算管理サーバーへ、ポイントカードＩＤと前記現金精算機から伝達されてなる少なくとも精算金額が含まれる個別駐車情報と駐車場を特定する駐車場情報とを伝達する手段と、
前記駐車場料金精算管理サーバーから伝達されたポイント値を受信する手段とを有することを特徴とする駐車場料金精算装置。
【請求項２】
駐車場料金精算システムに用いられる駐車場料金精算装置であって、少なくとも電源部、通信モジュール部、カードリーダー部、入力部、表示部を備えるとともに、現金精算機へ電気接続されてなり、前記現金精算機とのデータ通信手段と、駐車場料金精算管理サーバーへのデータ通信手段を有してなり、
前記駐車場料金精算装置は、現金精算機から伝達される個別駐車情報及び/又は空室情報を受信する手段と、
利用者に決済方法を選択させる手段と、
カードＩＤを読み取る手段と、
前記駐車場料金精算管理サーバーへ、読み取られた法人カードＩＤを照会する手段と、
前記駐車場料金精算管理サーバーから伝達された法人カードＩＤの利用承認可否情報を受信する手段と、
前記駐車場料金精算管理サーバーへ、ポイントカードＩＤと前記現金精算機から伝達されてなる少なくとも精算金額が含まれる個別駐車情報と駐車場を特定する駐車場情報とを伝達する手段と、
前記駐車場料金精算管理サーバーから伝達された精算情報を受信する手段とを有することを特徴とする駐車場料金精算装置。
【請求項３】
音声合成部および/又は、プリンタ部および/又は、無停電電源装置を備えてなることを特徴とする請求項１または２記載の駐車場料金精算装置。
【請求項４】
駐車場料金精算装置の入力部及び出力部はタッチパネル部からなることを特徴とする請求項１乃至３のいずれかに記載の駐車場料金精算装置。
【請求項５】
駐車場料金精算装置と現金精算機は通信ケーブルにより電気接続されてなることを特徴とする請求項１乃至４のいずれかに記載の駐車場料金精算装置。
【請求項６】
駐車場料金精算装置は、現金精算機から伝達される車室番号、駐車開始時間、駐車終了時間、精算金額の少なくとも一つを含む個別駐車情報とポイント値を印刷出力する手段を有することを特徴とする請求項１乃至５のいずれかに記載の駐車場料金精算装置。
【請求項７】
駐車場料金精算装置は、クレジットカードＩＤを読み取る手段と、クレジットカードＩＤと精算料金を紐づけてクレジットカードサーバーへ伝達する手段を有することを特徴とする請求項１乃至６のいずれかに記載の駐車場料金精算装置。
【請求項８】
駐車場料金管理サーバーは、駐車場料金精算装置から照会されたポイントカードＩＤの利用承認可否情報を前記駐車場料金精算装置へ伝達する手段と、ポイントカードＩＤとポイント値を紐づけて、ポイントサーバーに伝達する手段と、精算金額に対する還元率に基づいて算出されたポイント値を駐車場料金精算装置に伝達する手段と、駐車場料金精算装置から伝達される駐車場特定情報及び個別駐車情報をデータベースに蓄積し更新する手段を有することを特徴とする駐車場料金精算システム。
【請求項９】
駐車場料金管理サーバーは、駐車場料金精算装置から照会された法人カードＩＤの利用承認可否情報を前記駐車場料金精算装置へ伝達する手段と、法人カードＩＤと精算料金を紐づけてデータベースに蓄積する手段を有し、該データベースには法人端末からアクセス可能と、前記法人端末に法人カードＩＤに紐づけられた個別駐車場情報を表示させる手段と、駐車場料金精算装置から伝達される駐車場特定情報及び個別駐車情報をデータベースに蓄積し更新する手段を有することを特徴とする請求項８に記載の駐車場料金精算システム。
【請求項１０】
駐車場料金管理サーバーは、駐車場料金精算装置から伝達される駐車場特定情報、個別駐車情報をデータベースに蓄積し更新する手段を有し、駐車場検索サイトを通じて該データベースにアクセスしてなる外部端末に駐車場毎の満空情報を表示させる手段を有することを特徴とする請求項８または９に記載の駐車場料金精算システム。
【請求項１１】
駐車場料金管理サーバーは、駐車場料金精算装置から伝達される駐車場特定情報、個別駐車情報、満空情報をデータベースに蓄積する手段を有し、該データベースには駐車場事業者端末からアクセス可能としてなることを特徴とする請求項８乃至１０のいずれかに記載の駐車場料金精算システム。
【請求項１２】
駐車場料金精算管理サーバーとの間で情報伝達する駐車場料金精算装置は、複数の駐車場運営会社が提供する駐車場に設置されてなり、前記複数の駐車場運営会社の端末からアクセス可能としてなることを特徴とする請求項８乃至１１のいずれかに記載の駐車場料金精算システム。
【請求項１３】
現金精算機は、車室番号を確認する手段、駐車開始時間と駐車終了時間を記録する手段、駐車時間から精算金額を算出し駐車場料金精算装置に伝達する手段を有することを特徴とする請求項８乃至１２のいずれかに記載の駐車場料金精算システム。
【発明の詳細な説明】
【技術分野】
【０００１】
本発明は、駐車場の提供すなわちコインパーキングに設置される精算機とこれを用いた精算システムに関する発明である。
【背景技術】
【０００２】
いわゆるコイン式パーキングなどとも呼ばれる時間貸し駐車場は、地主から駐車場運営会社が土地を借りる或いは購入する等して駐車場を確保及び運営し、利用者は自動車等の入庫時間から出庫時間までの時間分の料金を精算する仕組みとなっている。このような時間貸し駐車場の利用者たる駐車場ユーザーには個人及び法人があるが、とりわけ法人顧客はまとめて後精算が可能な法人カードと呼ばれる支払カードや、駐車料金の支払いにより共通ポイントが蓄積される共通ポイントの蓄積式カードを利用する傾向にある。そして法人顧客はこれらのカードが利用可能な駐車場を探して自動車を停める傾向にある。しかしながら、この種の法人カードやこの種のポイントカードが使える駐車場はこれまで大手の駐車場運営会社が運営するものに限られているという実態があった。
【０００３】
駐車場運営会社は、一部の大手企業を除き大半が中小企業事業者であり、駐車場の稼働率を上げたいという要望がある。その一方で、共通ポイントサービスへの加盟や、各種カードを用いた支払方法の多様化に対するスキームおよび装置を独力で構築するほどの人的資源や資金力がないという実態があり、なおかつ、この種の駐車場運営会社では同業でアライアンスを組む商習慣や枠組みが存在せず、中小規模の駐車場運営会社がこのような取り組みに着手し難いという状況があった。
【０００４】
また、このような取り組みが実現された場合、枠組みやシステムを提供する事業運営会社は、駐車場運営会社の適切な駐車場の提供地域や利用料金帯を決めるために、利用される駐車場、利用時間帯、利用者等のデータを入手し活用したいという要望がある。さらに、ポイント事業会社はポイントカードのアライアンス企業を増加させるとともに、上記データを入手し消費者の行動を知りたいという要望がある。尚、従前は図１２に示すように、各駐車場はこれまで、それぞれ異なる支払い体系をとらざるを得なかった。また、従来の時間貸し駐車場に関連するシステムとしては、駐車場料金を自動的にプリペイドカード等から引き落とすシステム（特許文献１）、メインテナンスに手間のかからない無人パーキングシステム（特許文献２）、駐車場の料金管理装置とその管理システム（特許文献３）等がある。
【先行技術文献】
【特許文献】
【０００５】
【特許文献１】特開２００１−２４３５１０号公報
【特許文献２】特開平６−３４９０００号公報
【特許文献３】特開２０１２−２４８２１４号公報
【特許文献４】特開２０１３−２１８６４１号公報
【発明の概要】
【発明が解決しようとする課題】
【０００６】
上記課題に鑑み、本発明は、中小規模の駐車場運営会社の駐車場稼働率を上げるべく、異なる駐車場運営会社の運営する駐車場において法人カード及びポイントカードの利用を可能とし、ポイント事業会社はアライアンス企業の増大及びアライアンス会員の獲得と該アライアンス会員の駐車場利用情報の蒐集を図り、事業運営会社はシステムを提供することで適切な駐車場の提供地域や利用料金帯を決め、利用される駐車場、利用時間帯、利用者等のデータを入手し活用することを目的とし、システムの会員たる法人会員ユーザーにとっては、法人カードを利用して支払いをし、支払い管理ができる駐車場を拡大させることを目的とする。
【課題を解決するための手段】
【０００７】
本発明の駐車場料金精算システムに用いられる駐車場料金精算装置は、少なくとも電源部、通信モジュール部、カードリーダー部、入力部、表示部を備えるとともに、現金精算機へ電気接続されてなり、前記現金精算機とのデータ通信手段と、駐車場料金精算管理サーバーへのデータ通信手段を有してなり、
前記駐車場料金精算装置は、現金精算機から伝達される個別駐車情報及び/又は空室情報を受信する手段と、
利用者に決済方法を選択させる手段と、
カードＩＤを読み取る手段と、
前記駐車場料金精算管理サーバーへ、読み取られたポイントカードＩＤを照会する手段と、
前記駐車場料金精算管理サーバーから伝達されたポイントカードＩＤの利用承認可否情報を受信する手段と、
前記駐車場料金精算管理サーバーへ、ポイントカードＩＤと前記現金精算機から伝達されてなる少なくとも精算金額が含まれる個別駐車情報と駐車場を特定する駐車場情報とを伝達する手段と、
前記駐車場料金精算管理サーバーから伝達されたポイント値を受信する手段とを有することを特徴とする。
【０００８】
本発明の他の実施の形態において、駐車場料金精算装置は、少なくとも電源部、通信モジュール部、カードリーダー部、入力部、表示部を備えるとともに、現金精算機へ電気接続されてなり、前記現金精算機とのデータ通信手段と、駐車場料金精算管理サーバーへのデータ通信手段を有してなり、
前記駐車場料金精算装置は、現金精算機から伝達される個別駐車情報及び/又は空室情報を受信する手段と、
利用者に決済方法を選択させる手段と、
カードＩＤを読み取る手段と、
前記駐車場料金精算管理サーバーへ、読み取られた法人カードＩＤを照会する手段と、
前記駐車場料金精算管理サーバーから伝達された法人カードＩＤの利用承認可否情報を受信する手段と、
前記駐車場料金精算管理サーバーへ、ポイントカードＩＤと前記現金精算機から伝達されてなる少なくとも精算金額が含まれる個別駐車情報と駐車場を特定する駐車場情報とを伝達する手段と、
前記駐車場料金精算管理サーバーから伝達された精算情報を受信する手段とを有することを特徴とする。
【０００９】
また、音声合成部および/又は、プリンタ部および/又は、無停電電源装置を備えてなることを特徴とする。
【００１０】
また、駐車場料金精算装置の入力部及び出力部はタッチパネル部からなることを特徴とする。
【００１１】
また、駐車場料金精算装置と現金精算機は通信ケーブルにより電気接続されてなることを特徴とする。
【００１２】
また、駐車場料金精算装置は、現金精算機から伝達される車室番号、駐車開始時間、駐車終了時間、精算金額の少なくとも一つを含む個別駐車情報とポイント値を印刷出力する手段を有することを特徴とする。
【００１３】
また、駐車場料金精算装置は、クレジットカードＩＤを読み取る手段と、クレジットカードＩＤと精算料金を紐づけてクレジットカードサーバーへ伝達する手段を有することを特徴とする。
【００１４】
本発明の駐車場料金精算システムにおいて、駐車場料金精算管理サーバーは、駐車場料金精算装置から照会されたポイントカードＩＤの利用承認可否情報を前記駐車場料金精算装置へ伝達する手段と、ポイントカードＩＤとポイント値を紐づけて、ポイントサーバーに伝達する手段と、精算金額に対する還元率に基づいて算出されたポイント値を駐車場料金精算装置に伝達する手段と、駐車場料金精算装置から伝達される駐車場特定情報及び個別駐車情報をデータベースに蓄積し更新する手段を有することを特徴とする。
【００１５】
また、本発明の他の実施の形態において、駐車場料金精算管理サーバーは、駐車場料金精算装置から照会された法人カードＩＤの利用承認可否情報を前記駐車場料金精算装置へ伝達する手段と、法人カードＩＤと精算料金を紐づけてデータベースに蓄積する手段を有し、該データベースには法人端末からアクセス可能と、前記法人端末に法人カードＩＤに紐づけられた個別駐車場情報を表示させる手段と、駐車場料金精算装置から伝達される駐車場特定情報及び個別駐車情報をデータベースに蓄積し更新する手段を有することを特徴とする。
【００１６】
また、駐車場料金管理サーバーは、駐車場料金精算装置から伝達される駐車場特定情報、個別駐車情報をデータベースに蓄積し更新する手段を有し、駐車場検索サイトを通じて該データベースにアクセスしてなる外部端末に駐車場毎の満空情報を表示させる手段を有することを特徴とする。
【００１７】
駐車場料金管理サーバーは、駐車場料金精算装置から伝達される駐車場特定情報、個別駐車情報、満空情報をデータベースに蓄積する手段を有し、該データベースには駐車場事業者端末からアクセス可能としてなることを特徴とする。
【００１８】
また、駐車場料金精算管理サーバーとの間で情報伝達する駐車場料金精算装置は、複数の駐車場運営会社が提供する駐車場に設置されてなり、前記複数の駐車場運営会社の端末からアクセス可能としてなることを特徴とする。
【００１９】
また、現金精算機は、車室番号を確認する手段、駐車開始時間と駐車終了時間を記録する手段、駐車時間から精算金額を算出し駐車場料金精算装置に伝達する手段を有することを特徴とする。
【発明の効果】
【００２０】
本発明によれば、利用者にとっては現金を使用せずともカード決済可能で、かつポイント蓄積式カードへのポイント蓄積が可能な駐車場を提供し、駐車場運営会社にとっては駐車場の稼働率を上げることができるシステムが提供される。
【図面の簡単な説明】
【００２１】
【図１】本発明の駐車場料金システムを示すブロック図である。
【図２】本発明の駐車場料金精算システムのスキームを示すフローチャートである。
【図３】本発明の駐車場料金精算システムにおいて用いられる駐車場料金精算装置と現金精算機の概略図である。
【図４】本発明の駐車場料金精算システムにおいて用いられる駐車場料金精算装置と現金精算機の構成図である。
【図５】駐車場料金精算装置の表示画面の表示例である。
【図６】駐車場料金精算装置の表示画面の表示例である。
【図７】駐車場料金精算装置の表示画面の表示例である。
【図８】駐車場料金精算装置の表示画面の表示例である。
【図９】駐車場料金精算装置の表示画面の表示例である。
【図１０】駐車場料金精算装置の表示画面の表示例である。
【図１１】駐車場料金精算装置の表示画面の表示例及びプリンタ部より送出されるレシートの印刷例である。
【図１２】従来の駐車場料金徴収のスキームと、本発明が目的とするスキームの概略図である。
【図１３】本発明のシステム概略図である。
【図１４】本発明のシステム概略図である。
【図１５】本発明のシステム概略図である。
【図１６】本発明のシステム概略図である。
【図１７】本発明のシステム概略図である。
【図１８】本発明のシステム概略図である。
【図１９】本発明のシステム概略図である。
【図２０】本発明のシステムのフロー概要図である。
【図２１】本発明のシステムのフロー概要図である。
【図２２】本発明のシステムのフロー概要図である。
【図２３】本発明の他の実施の形態のフローチャートであり、クレジットカード支払い機能を搭載した場合のフローチャートである。
【図２４】本発明のシステムの模式図である。
【発明を実施するための最良の形態】
【００２２】
本発明の、駐車場料金精算システム１（以下単にシステム１という。）について、図面を参照しながら説明する。図１、図１３乃至図１６に示すように、本発明のシステム１を利用する構成員は、本システムの運営を担う事業運営会社、駐車場を提供する駐車場運営会社、ポイントカード事業を担うポイント事業会社、駐車場を利用する者としての駐車場ユーザー、及び駐車場ユーザーのうち本システムの法人サービス会員である者としての法人ユーザー等から構成される。
【００２３】
本発明のシステム１は、時間貸し駐車場に設置される既存の現金精算機３とデータ通信可能に設置されるモジュールユニットとしての駐車場料金精算装置２（以下、単に精算装置２という。）と、事業運営会社が管理する駐車場料金精算管理サーバー４(以下、単に管理サーバー４という。）とデータベース（不図示）、ポイント事業運営会社が管理するポイントサーバー５とデータベース（不図示）、駐車場運営会社が管理する駐車場事業者端末７、法人会員ユーザーや駐車場運営会社等に管理されシステム１にアクセスするための通信端末、及び精算装置２、システム１に関わる装置をデータ通信可能とするインターネット或いは専用回線等の通信手段（不図示）等により構成される。さらに、駐車場ユーザーの携帯する端末からアクセスする駐車場空き情報等を蓄積するデータベースと通信手段を設けてもよい。
【００２４】
既存の現金精算機３に後付できる精算装置２、あるいは現金精算機３の機能も併せ持つ精算装置２を時間貸し駐車場に設置されてなり、駐車場の利用者は駐車場料金の精算を現金或いは法人カードで行うとともに、その後必要に応じてポイント蓄積式カードによるポイントの蓄積を行い、これらの情報がサーバーに伝達され、サーバーは駐車場料金の決済処理を行うとともに、ポイント蓄積式カードのポイントデータも受理できるシステムである。また、法人会員への駐車場料金決済もできる。さらには、駐車場検索サイトも運営できるシステムとなっている。
【００２５】
（駐車場料金精算装置）
図１乃至３を参照して本発明のシステム１に利用される精算装置２について説明する。精算装置２は、図３に示すように既存の駐車場の現金精算機３に後付けできる本システム１のための装置であり、カードによる支払い、ポイント蓄積式カードへのポイント蓄積等各種データを取り込み、利用料金の決済処理、ポイント蓄積処理を行う装置である。
【００２６】
精算装置２は、図３及び図４に示すように、筐体にスイッチング電源、無停電電源装置（ＵＰＳ）、アンテナ、通信モジュール（例えばＬＴＥの無線規格を利用可能な通信装置及びＧＰＳ装置）、各種回路を搭載したメイン基板、カードリーダー部、音声合成部、タッチパネル部、プリンタ部、メモリ部（不図示）等が格納されてなる装置である。
【００２７】
図２に示すように、精算装置２は、既存の現金精算機３に隣接した位置に設置され、モジュールに接続されてなる通信ケーブルとは、筐体を支持する支柱内と配管内を通り現金精算機３と電気的に接続されてなる。精算装置２は既存の現金精算機３に合わせた通信方式により互いにデータ通信可能な状態となっている。またモジュールに接続されてなるＡＣケーブルも支柱内と配管内を通り電源に接続されてなる。
【００２８】
尚、精算装置２と現金精算機３の間のデータ通信は上述した有線のケーブルではなく無線通信で行うように構築することも可能である。またカードリーダー部にはシャッター機構を設け、シャッター開閉手段によりモジュールの動作と連動させて開閉させるようにしてもよい。また、ＵＰＳは停電時、重要データ保存用とてモジュールに電気を供給するための最低限の機能を有していればよい。プリンタ部は例えば感熱ラインドットによる印字方式の印刷機等が好適であるが、これに限られるものではない。また、対現金精算機３との間の通信方法は、既存の現金精算機３に併せて設定されるか或いはいくつかの製造メーカの現金精算機３の通信方法に対応可能なよう複数の通信方法を設定可能にしてもよい。また、既存の現金精算機３の製造メーカにより伝達されるデータ方式が異なることに鑑み、管理サーバー４に伝達する前にデータ方式を変換するためのコンバーターを介在させてもよい。尚、精算装置２に搭載するかたちでクレジット決済機を搭載してもよく、この場合クレジットカード決済のための装置が設けられる。
【００２９】
現金精算機３は、時間貸し駐車場に設置されている従来型の現金精算機で、車室番号を確認する手段、駐車開始時間と駐車終了時間を記録する手段、駐車時間から精算金額を算出する手段を有し、時間貸し駐車場の車庫番号に対応する入庫時から出庫時までの時間に単位時間あたりの料金を乗じて、精算金額を算出する既存の装置である。上述のように精算装置２との間で互いにデータ通信可能な状態となっている。
【００３０】
現金精算機３から精算装置２へは少なくとも個別駐車情報と空き室情報が伝達される。ここで個別駐車情報とは、車室番号、駐車開始時間、駐車終了時間、精算金額と、空き室情報の少なくともいずれかを含む情報である。車室番号とは駐車スペース毎に付与された番号である。空き室情報とはどの番号の駐車スペースが空いているかを示す情報である。
【００３１】
また、精算装置２から現金精算機３へは少なくとも後述の動作説明で述べる精算終了情報が伝達される。
【００３２】
（システムの動作）
次に図２、図５乃至図１１を参照して、システム１の動作について説明する。まず、精算装置２と、現金精算機３と駐車場精算サーバー間における動作について説明する。精算装置２における利用者の選択事項としては、大きく法人カード利用の有無（すなわちカード払いにするか現金精算にするかの選択）、ポイント蓄積式カード利用の有無が挙げられる。
【００３３】
精算開始のコマンドの入力により、精算装置２のモジュールが起動し決済開始動作が始まる。
【００３４】
（現金精算、ポイントカードを利用しない場合の動作）
精算装置２は、タッチパネル表示画面に、現金による支払いか、法人カードによる支払いかの決済方法を選択させる入力画面を表示させる。尚、精算装置２が音声案内手段も搭載している場合には「決済方法を選択してください。」等の決済方法の選択を促す音声案内を出力させる。
【００３５】
精算装置２は、タッチパネル表示画面より、現金支払が選択入力されたとき、カードリーダーの挿入口にシャッターが取り付けられている場合にはシャッター開閉手段にカードシャッターを開ける操作をさせ、表示手段が表示画面に「ポイントカードをお持ちの方は挿入してください」等のポイントカードの挿入を促す表示をする（ステップ2.1）。尚、精算装置２が音声案内手段も搭載している場合には「カードを挿入してください」等のポイントカード利用の選択を促す音声案内を出力させる。
【００３６】
ここでポイントカードの利用のスキップが選択入力されると、精算装置２は、表示画面に「精算機でお支払ください」等の現金精算機３での精算を促す表示をする（ステップ2.2）。尚、精算装置２が音声案内手段も搭載している場合には「精算機でお支払ください。」等の現金精算機３での精算を促す音声案内を出力させる。
現金精算機３での精算が完了すると現金精算機３から精算装置２に宛てて精算完了通知が送信され、精算装置２がこの精算完了通知を受信するとモジュールの電源をオフにする。以上が、法人カードもポイントカードも利用せず従前どおり現金で精算する場合の精算装置２の動作である。
【００３７】
（現金精算、ポイントカードを利用する場合の動作）
精算装置２は、タッチパネル表示画面に、現金による支払いか、クレジットカードによる支払いか、法人カードによる支払いかの決済方法を選択させる入力画面を表示させる。
【００３８】
精算装置２は、タッチパネル表示画面より、現金支払が選択入力されたとき、カードリーダーの挿入口にシャッターが取り付けられている場合にはシャッター開閉手段にカードシャッターを開ける操作をさせ、表示手段が表示画面に「ポイントカードをお持ちの方は挿入してください」等のポイントカードの挿入を促す表示をする（ステップ2.1）。尚、精算装置２が音声案内手段も搭載している場合には「カードを挿入してください」等のポイントカード利用の選択を促す音声案内を出力させる。
【００３９】
ここでポイントカードが挿入されると、精算装置２は、シャッター開閉手段によりカードシャッターを閉める操作をさせ、表示画面に「カード確認中です」等のカード確認を知らせる表示をする。同時に、精算装置２のカードリーダー部は挿入されたポイントカードのＩＤ（例えば、１６桁の磁気コード等）を読み取り通信手段を介して、管理サーバー４に送信する。ポイントカードＩＤを受信した管理サーバー４は、管理サーバー４のデータベース或いは、ポイントサーバー５のデータベースに利用可能なポイントカードＩＤか問い合わせをし、ポイントカードＩＤの利用の可否情報を精算装置２に送信する。
【００４０】
また、精算装置２は、ポイントカードＩＤの通信と同時、並行して、或いは精算完了通知後に、現金精算機３からは、個別駐車情報（車室番号、駐車開始時間、駐車終了時間、精算金額）、空室情報（満空情報とも呼ばれる車庫の満空を示す情報)が、精算装置２に送信される。精算装置２は、駐車場を特定する駐車場情報（例えば、駐車場ＩＤや、精算装置２の固有番号、精算装置２にＧＰＳが搭載されている場合には精算装置２の位置情報等何等かの駐車場を特定する情報）と、少なくとも精算金額が含まれる個別駐車情報とを、ポイントカードＩＤと紐づけ可能な状態で管理サーバー４に送信する。管理サーバー４は、受信した個別駐車情報より、精算金額毎、駐車場毎、或いはポイントカードＩＤ毎等、任意に設定されてなるポイントカードのポイント還元率を精算金額に乗じたポイント値を算出し（例えば、１％の還元率が設定されている場合、精算金額1,000円に対して10ポイントの付与）、精算装置２に送信する。
【００４１】
管理サーバー４が、ポイントカードＩＤ利用可との情報を精算装置２に送信し、精算装置２が該情報を受信すると、表示画面に「カード確認ができました。精算機でお支払くだい。」等の利用可能なポイントカードである旨と、現金精算機３での支払いを促す表示をする（2.1.2）。尚、精算装置２が音声案内手段も搭載している場合には「カードが確認できました」等のポイントカード利用の選択を促す音声案内を出力させる。
【００４２】
現金精算機３での精算が完了すると現金精算機３から精算装置２に宛てて精算完了通知が送信される。そうすると、精算装置２は、管理サーバー４から受信したポイント値を利用して「ＸＸポイントお付けしました。明細が必要ですか？はい/いいえ」等のようなポイント値（ＸＸポイント）と、明細の有無の選択を促す表示をする（ステップ2.1.3）。また、シャッター開閉手段は、カードリーダー部に挿入されたポイントカードを筐体外部に排出し、シャッターを閉じる。尚、精算装置２が音声案内手段も搭載している場合には「精算が終了いたしました」等の精算の終了を知らせる音声案内を出力させる。
【００４３】
明細の有無の選択で「はい」が選択されると、精算装置２のプリンタ部は、ポイントカード番号、今回の取引ポイント値、総合ポイント値等設定されている項目のデータを紙に印刷し出力する（ステップ2.1.3.1）。尚、精算装置２が音声案内手段も搭載している場合には「発行中です。」等のプリント中を知らせる音声案内を出力させる。
【００４４】
明細の出力が終了すると、精算装置２は、「有難うございました。カードを忘れないようにしてください。」等、完了を表す表示をする。尚、精算装置２が音声案内手段も搭載している場合には「有難うございました。カードをお忘れにならないでください。」等の完了を知らせる音声案内を出力させる（ステップ2.1.4）。
【００４５】
一方、精算装置２が、ポイントカードＩＤが利用不可の情報を受信した場合には、「カードが確認できませんでした。カードをおとりになってお支払お願いします。」等のようにポイントカードが利用できないことを知らせる表示をする。尚、精算装置２が音声案内手段も搭載している場合には「カードが確認できませんでした。」等のポイントカードが利用できないことを知らせる音声案内を出力させる。以上が、現金精算、ポイントカードを利用する場合の動作である。
【００４６】
（法人カード精算、ポイントカード利用の場合）
精算装置２は、タッチパネル表示画面に、現金による支払いか、法人カードによる支払いかの決済方法を選択させる入力画面を表示させる。
【００４７】
精算装置２は、タッチパネル表示画面より、法人カード支払が選択入力されたとき、カードリーダーの挿入口にシャッターが取り付けられている場合にはシャッター開閉手段にカードシャッターを開ける操作をさせ、表示手段が表示画面に「法人カードを挿入してください。」等の法人カードの挿入を促す表示をする（ステップ2.3）。尚、精算装置２が音声案内手段も搭載している場合には「カードを挿入してください。」等の法人カード利用の選択を促す音声案内を出力させる。
【００４８】
ここで法人カードが挿入されると、精算装置２は、シャッター開閉手段によりカードシャッターを閉める操作をさせ、表示画面に「カード確認中です」等のカード確認を知らせる表示をする。同時に、精算装置２のカードリーダー部は挿入された法人カードのＩＤ（例えば、１６桁の磁気コード等）を読み取り通信手段を介して、管理サーバー４に送信する。法人カードＩＤを受信した管理サーバー４は、管理サーバー４のデータベースに利用可能な法人カードＩＤか問い合わせをし、法人カードＩＤの利用の承認可否情報を精算装置２に送信する。
【００４９】
また、精算装置２は、法人カードＩＤの通信と同時、並行して、或いは精算完了通知後に、現金精算機３からは、個別駐車情報（車室番号、駐車開始時間、駐車終了時間、精算金額）、空室情報（満空情報とも呼ばれる車庫の満空を示す情報)が、精算装置２に送信される。精算装置２は、法人カードが利用可のときには、駐車場を特定する駐車場情報（例えば、駐車場ＩＤや、精算装置２の固有番号、精算装置２にＧＰＳが搭載されている場合には精算装置２の位置情報等何等かの駐車場を特定する情報）と、少なくとも精算金額が含まれる個別駐車情報とを、法人カードＩＤと紐づけ可能な状態で管理サーバー４に送信する。
【００５０】
管理サーバー４は、受信した個別駐車情報と法人カードＩＤを紐づけてデータベースに蓄積し精算情報を管理する。すなわち精算手続きをする。また、後述する駐車場満空情報の確認システムをも構築する場合には、個別駐車情報と空室情報を紐づけてデータベースに蓄積し駐車場空き情報を管理する。
【００５１】
法人カードに承認がとれると、シャッター開閉手段によりシャッターを開き、カードリーダー部に挿入された法人カードが排出される。
【００５２】
一方、法人カードが利用不可で承認がとれないときには、精算装置２は、「カード確認ができませんでした。カードをおとりになって現金でお支払をお願いします。」等の現金払いを促す表示をさせる。尚、精算装置２が音声案内手段も搭載している場合には「カードが確認できませんでした。」等の法人カード利用不可を知らせる音声案内を出力させる（ステップ2.3.1）。現金選択入力がされた後は現金精算にかかるステップへ移行する（ステップ2.1へ）。
【００５３】
法人カードの確認が完了すると、精算装置２は、「ポイントカードをお持ちの方は挿入してください」等のポイントカードの挿入を促す表示をさせる。尚、精算装置２が音声案内手段も搭載している場合には「カードを挿入してください」等のポイントカードの挿入を促す音声案内を出力させる（ステップ2.3.2）。尚、ここでポイントカードの利用をしない旨の「スキップ」の選択入力がされると、後述する支払完了のステップに移行する(ステップ2.4.1へ。)
【００５４】
ここでポイントカードが挿入されると、精算装置２は、シャッター開閉手段によりカードシャッターを閉める操作をさせ、表示画面に「カード確認中です」等のカード確認を知らせる表示をする。同時に、精算装置２のカードリーダー部は挿入されたポイントカードのＩＤ（例えば、１６桁の磁気コード等）を読み取り通信手段を介して、管理サーバー４に送信する。ポイントカードＩＤを受信した管理サーバー４は、管理サーバー４のデータベース或いは、ポイントサーバー５のデータベースに利用可能なポイントカードＩＤか問い合わせをし、ポイントカードＩＤの利用の可否情報を精算装置２に送信する（ステップ2.3.3）。
【００５５】
また、精算装置２は、ポイントカードＩＤの通信と同時、並行して、或いは精算完了通知後に、現金精算機３からは、個別駐車情報（車室番号、駐車開始時間、駐車終了時間、精算金額）、空室情報（満空情報とも呼ばれる車庫の満空を示す情報)が、精算装置２に送信される。精算装置２は、駐車場を特定する駐車場情報（例えば、駐車場ＩＤや、精算装置２装置番号、精算装置２にＧＰＳが搭載されている場合には位置情報等何等かの駐車場を特定する情報）と、少なくとも精算金額が含まれる個別駐車情報とを、ポイントカードＩＤと紐づけ可能な状態で管理サーバー４に送信する。管理サーバー４は、受信した個別駐車情報より、精算金額毎、駐車場毎、或いはポイントカードＩＤ毎等、任意に設定されてなるポイントカードのポイント還元率を精算金額に乗じたポイント値を算出し（例えば、1%の還元率が設定されている場合、精算金額1,000円に対して10ポイントの付与）、精算装置２に送信する。
【００５６】
管理サーバー４が、法人カードＩＤ、ポイントカードＩＤが利用可との情報を精算装置２に送信し、精算装置２が該情報を受信すると、表示画面に「カード確認ができました。精算中です。」等の利用可能な法人カード、ポイントカードである旨と、管理サーバー４で精算中であることを示す表示をする（2.3.4）。尚、精算装置２が音声案内手段も搭載している場合には「カードが確認できました。精算中です。」等の精算中であることを示す音声案内を出力させる。
【００５７】
現金精算機３での精算が完了すると現金精算機３から精算装置２に宛てて精算完了通知が送信される。そうすると、精算装置２は、管理サーバー４から受信したポイント値を利用して「ＸＸポイントお付けしました。明細が必要ですか？はい/いいえ」等のようなポイント値（ＸＸポイント）と、明細の有無の選択を促す表示をする（ステップ2.1.3）。また、シャッター開閉手段は、カードリーダー部に挿入されたポイントカードを筐体外部に排出し、カードシャッターを閉じる。尚、精算装置２が音声案内手段も搭載している場合には「精算が終了いたしました」等の精算の終了を知らせる音声案内を出力させる。
【００５８】
明細の有無の選択で「はい」が選択されると、或いはとくに選択はなしに、精算装置２のプリンタ部は、ポイントカード番号、今回の取引ポイント値、総合ポイント値等設定されている項目のデータを紙に印刷し出力する。明細の出力が終了すると、精算装置２は、「精算が終了しました。明細をプリントします。」等、完了を表す表示をする。尚、精算装置２が音声案内手段も搭載している場合には「有難うございました。カードをお忘れにならないでください。」等の完了を知らせる音声案内を出力させる（ステップ2.4.1）。以上が本発明のシステムの基幹となる構成である。このように法人カードを利用できる本発明のシステムを構築することにより、法人会員ユーザーが駐車場を選択する要因の一つとして作用し、中小規模の駐車場運営会社の運営する駐車場の稼働率を上げることができる。
【００５９】
本発明のシステムは図１９に示すように、上述したような基幹システムが複数の駐車場運営会社との間に構築されることにより出来上がっている。すなわち、現金精算機３１〜３ｎと接続されてなる精算装置２１〜２ｎは、異なる企業に設置され、全体として一つのアライアンスを成している。
【００６０】
図１９に示すように、精算装置２１〜２ｎからは管理サーバー４に対して、上述したフローに従い情報が伝達される。例えばこれらの情報は駐車場運営会社と精算装置が識別される精算装置２１〜２ｎ毎のＩＤと共に、管理サーバー４へ伝達され、管理サーバー４は、ＩＤに基づいて、精算装置２１〜２ｎと駐車場運営会社を特定する。管理サーバー４は例えば、この情報を駐車場の所在地、利用者、駐車時間等の情報として蓄積し、これらを解析するようになっている。このように複数の駐車場運営会社の駐車場に本発明に係る精算装置２１〜２ｎを設置することにより、中小規模の駐車場運営会社がアライアンスを構築することとなり、全体として一つの管理体制を構築できるとともに、個々の駐車場の稼働率を上げることができる。
【００６１】
すなわち、本発明の上記実施例においては、図２０乃至図２２に示すように、代表的な利用者の属性別にその動作の概略は代表的３パターンに分類される。パターン１は、本発明のシステムを利用する顧客の属性は個人でポイントカードを保有する者が利用する場合である。この場合、駐車場の端末からサーバーへ利用料支払の情報とともにポイント手数料の情報が上がり、ポイント手数料の情報は、ポイントサーバーに上がり、ポイントサーバーにおいて演算がなされポイントがユーザーに還元される概略になっている。尚、ポイント手数料の付与率と還元率は図に示すものに限定されない。
【００６２】
パターン２は、利用者が法人会員であることから法人カードを保有しており、利用者がポイントカードも保有している場合である。この場合、駐車場の端末からサーバーへ利用料支払の情報とともにポイント手数料の情報、法人会員手数料の情報が上がり、ポイント手数料の情報はポイントサーバーに上がりポイントサーバーにおいて演算がなされポイントがユーザーに還元される概略になっている。尚、ポイント手数料の付与率と還元率は図に示すものに限定されない。
【００６３】
パターン３は、利用者が法人会員であることから法人カードを保有しており、利用者がポイントカードを保有していない場合である。この場合、駐車場の端末からサーバーへ利用料支払の情報が上がる仕組みになっている。
【００６４】
尚、本発明のシステムの決済において法人カードによる決済を例に説明をしたが、法人カードによる決済に替えて、或いは法人カードによる決済と並行してクレジットカード或いはデビットカードによる決済の機能を搭載することもできる。この場合、精算の動作については法人カードの場合の装置及びステップと同等のものを設ければよいが、管理サーバー４と外部のクレジットカード会社サーバー（不図示）を通信可能とする手段を構築し、精算装置２で読み取られたクレジットカード番号、暗証番号、精算額をクレジットカード会社サーバーに伝達して決済を行うようになっている。 
【００６５】
クレジットカード機能を搭載した場合の本発明の他の実施例にかかる動作フローについて、図２３を参照して説明する。
【００６６】
精算開始及びモジュール起動のステップにおいては、上述した本発明の現金精算及び/又は法人カード精算の場合と同様であり、精算開始のコマンドの入力により、精算装置２のモジュールが起動し決済開始動作が始まる。クレジットカード機能を搭載した場合には、決済方法選択のステップにおいて、法人カード利用を選択、現金精算を選択の選択肢（すなわち選択ボタン）に加えて、クレジットカードによる支払いを選択する選択肢（すなわち選択ボタン）が追加されている。
【００６７】
以下図２３に基づき、クレジットカードによる精算を選択した場合のフローについて説明する。クレジットカード払いを選択すると（あるいはクレジットカードを挿入すると）精算装置２は、クレジットカードによる決済を選択したと認識し、クレジットカードＩＤを読み取り、少なくともクレジットカードＩＤと精算額データを外部のクレジットカードサーバー(不図示）へ送信する。また暗証番号や指紋認証等のパスコードを導入している場合はこれらのデータも外部のクレジットカードサーバー(不図示）へ送信する。
【００６８】
外部のクレジットカードサーバー（不図示）は、クレジットカードＩＤと精算額データを受信すると、該クレジットカードＩＤにかかるカードが利用可能か否か照会する。クレジットカードが利用可能と承認されると、クレジットカードサーバー(不図示)では、クレジットカードＩＤと精算額データを紐づけて支払処理し、支払処理データのフィードバックが精算装置２に伝達される。精算装置２が支払処理データを受信すると利用明細を印刷する。利用明細印刷後は、上述したポイントカード受付ステップへと進む。以下、ポイントカードの処理ステップからモジュール電源オフまでのステップは上述した実施の形態と同様のフローであるため説明を省略する。
【００６９】
一方、外部のクレジットカードサーバー（不図示）においてクレジットカードの利用承認が取れない場合、精算装置２にはクレジットカード非承認のデータがフィードバックされる。精算装置２は、画面上にその旨のエラーを表示させ、精算方法すなわち決済方法選択のステップへと戻すようになっている。
【００７０】
尚、外部クレジットカードサーバー(不図示）及び精算装置２の間に管理サーバー４を介在させてデータの伝達を行う仕組みとして構築してもよい。この場合、クレジットカードによる支払処理データも管理サーバー４で追跡及び蓄積することが可能となる。
【００７１】
(ポイントシステム)
図１３に示すように、管理サーバー４とポイントサーバー５の間でのポイントデータのデータ通信について説明する。精算装置２と管理サーバー４の間でデータ通信される、駐車場料金に対して付与されるポイント値、又はポイント利用機能も設ける場合には利用されたポイント値は、ポイントカードＩＤと紐付けられて日次パッチでポイントサーバー５に転送される。このような情報の伝達は管理サーバー４とポイントサーバー５間で随時、あるいは定期的に行われる。ポイントサーバー５では独自のポイント蓄積還元システムに基づいて、ポイントカードＩＤ毎の口座にポイント加算処理、減算処理されるようになっている。またここでのポイント値の利用分は、ポイント会社から直接、或いは事業運営会社を通じて、アライアンス企業たる駐車場運営会社に請求される仕組みになっている。このように、ポイントカードと本発明の根幹となるシステムを組み合わせることにより、駐車場ユーザーが駐車場を選択する要因の一つとして作用し、一層、駐車場の稼働率を上げることができる。
【００７２】
（駐車場検索システム）
図１３乃至図１６に示すように、システム１にはオプションとして駐車場検索システムを付随させることができる。上述のように、現金精算機３から精算装置２には、駐車場特定情報、個別駐車情報（車室番号、駐車開始時間、駐車終了時間、精算金額）、空室情報（満空情報とも呼ばれる車庫の満空を示す情報)が、随時伝達され、この情報は、ポイントカード利用時、法人カードの利用時、或いは設定により一定時間ごとに管理サーバー４に伝達させることができる。
【００７３】
管理サーバー４は、精算装置２からデータを受信するたびに駐車場検索サイトのデータベースを書き換え、随時、駐車場の空室、満室の状況が確認できるようになっている。この駐車場検索サイトは、例えば法人会員に契約している会社に対して発行したＩＤとパスワードにより、該会社の従業員が自己の端末から必要に応じてアクセスし確認できるようになっている。
【００７４】
（法人会員決済システム）
図１４に示すように、システム１にはオプションとして法人会員決済システムを付随させることができる。法人会員決済システムを構築する場合には、法人会員に設置される法人端末６からアクセスでき各会社の専用ページを作成しておくことが望ましい。
【００７５】
上述のように、現金精算機３から精算装置２には、駐車場特定情報、個別駐車情報（車室番号、駐車開始時間、駐車終了時間、精算金額）、空室情報（満空情報とも呼ばれる車庫の満空を示す情報)が、随時伝達され、法人カードが利用されたときには、法人カードＩＤと精算料金のデータがデータベースに蓄積される。これらの情報は、法人カードの利用実績確認情報として、利用駐車場、入庫出庫時間、精算金額が蓄積され、管理サーバーは、これらの情報を法人端末６からの法人ＩＤとパスワードによりログインに可能な専用ページにテーブル表示させてもよい。また、一定期間、例えば１ヶ月毎に請求書として法人端末６に発行するようにしてもよい。
【００７６】
（駐車場稼働状況管理システム）
図１５に示すように、システム１にはオプションとして駐車場稼働状況管理システムを付随させることができる。駐車場稼働状況管理システムを構築する場合には、駐車場の提供者たる駐車場事業者に設置される駐車場事業者端末７からアクセスでき各事業者の専用ページを作成しておくことが望ましい。
【００７７】
上述のように、現金精算機３から精算装置２には、駐車場特定情報、個別駐車情報（車室番号、駐車開始時間、駐車終了時間、精算金額）、空室情報（満空情報とも呼ばれる車庫の満空を示す情報)が、随時伝達され、法人カードが利用されたときには、法人カードＩＤと精算料金のデータがデータベースに蓄積される。管理サーバーは、これらのデータを駐車場ごとの日々利用実績データ、ポイントカード利用率データ、法人カード利用率データ、支払いデータ等に生成し、駐車場事業者端末７からの法人ＩＤとパスワードによりログインに可能な専用ページにテーブル表示させてもよい。また、一定期間、例えば１ヶ月毎に請求書として駐車場事業者端末７に発行するようにしてもよい。
【００７８】
このように、本発明のシステム１によれば、複数の駐車場事業者が提供する駐車場を管理できるシステムインフラが構築され、法人会員にはキャッシュレスで駐車場料金の支払いができる。また法人会員や個人利用者を問わずに駐車場の利用に際して汎用ポイントを貯めることができる。また駐車場を開発する事業運営会社や駐車場事業者は駐車場の稼働状況や利用者を確認することができる。また法人会員は一括した駐車場料金の支払い管理ができる。さらには外回り中の従業員の勤怠管理も行うことができる。ポイントカード会社においては新たな会員の獲得と、新たなデータ項目の獲得につながる等の効果がある。
【符号の説明】
【００７９】
１    駐車場料金精算システム
２、２１〜２ｎ    駐車場料金精算装置
３、３１〜３ｎ    現金精算機
４    駐車場料金精算管理サーバー
５  ポイントサーバー
６  法人端末
７、７１〜７ｎ  駐車場事業者端末
【図１】
0006349336.tif 000002
【図２】
0006349336.tif 000003
【図３】
0006349336.tif 000004
【図４】
0006349336.tif 000005
【図５】
0006349336.tif 000006
【図６】
0006349336.tif 000007
【図７】
0006349336.tif 000008
【図８】
0006349336.tif 000009
【図９】
0006349336.tif 000010
【図１０】
0006349336.tif 000011
【図１１】
0006349336.tif 000012
【図１２】
0006349336.tif 000013
【図１３】
0006349336.tif 000014
【図１４】
0006349336.tif 000015
【図１５】
0006349336.tif 000016
【図１６】
0006349336.tif 000017
【図１７】
0006349336.tif 000018
【図１８】
0006349336.tif 000019
【図１９】
0006349336.tif 000020
【図２０】
0006349336.tif 000021
【図２１】
0006349336.tif 000022
【図２２】
0006349336.tif 000023
【図２３】
0006349336.tif 000024
【図２４】
0006349336.tif 000025